(57)【要約】【課題】重ね合わせた前後の当羽根を真っ直ぐに壁板の孔から挿し入れて、自重で展開させることができるため、壁板の裏側の隙間が小さくても部材の取付けができて、かつ、取付けの操作が至って簡単である壁板へ部材取付構造を提供する。【解決手段】２枚の当羽根４、４を、壁板２の孔３よりも少し小さい外形の２枚が、基部４ａにあけた孔５に取付軸６を通して連結された構造とすることにより、当羽根４、４を重ね合わせると、壁板２の孔３から裏側の隙間７へ真っ直ぐ挿し入れることができ、挿し入れ後に当羽根４、４をフリーにすると、前側の当羽根４が自重により下方へ展開して、その当接部４ｂと後側の当羽根４の当接部４ｂとで、孔３よりも大きい支持面を形成するようにしたこと。【選択図】        図１
2004150135.tif 000002
【特許請求の範囲】
【請求項１】
壁板に孔をあけ、この孔から取付軸で連結した複数の当羽根を重ね合わせて隙間へ挿し入れ、挿し入れ後に当羽根を展開させて、展開後の当羽根で孔よりも大きい支持面を形成させるようにした壁板への部材取付構造において、
前記当羽根を、壁板の孔よりも少し小さい外形の２枚が、基部にあけた孔に取付軸を通して連結した構造とすることにより、
２枚の当羽根を、重ね合わせると壁板の孔から裏側の隙間へ真っ直ぐ挿し入れることができ、
挿し入れ後に当羽根をフリーにすると、前側の当羽根が自重により下方へ展開して、その当接部と後側の当羽根の当接部とで、孔よりも大きい支持面を形成するようにした
こと特徴とする壁板への部材取付構造。
【請求項２】
壁板に孔をあけ、この孔から取付軸で連結した複数の当羽根を重ね合わせて隙間へ挿し入れ、挿し入れ後に当羽根を展開させて、展開後の当羽根で孔よりも大きい支持面を形成させるようにした壁板への部材取付構造において、
前記当羽根を連結する取付軸を、壁板の孔を塞ぐ蓋体の中央部に設けた軸受へ嵌合して、
前記蓋体の嵌合縁を壁板の孔へ嵌め付けることにより、部材取付構造を取付軸が孔の中心に位置するように隙間内に保持させる
ことを特徴とした壁板への部材取付構造。
【発明の詳細な説明】
【０００１】
【発明の属する技術分野】
本発明は、壁板へ手摺、握り棒、その他の部材を取付ける部材取付構造に関する。
【０００２】
【従来の技術】
従来の壁板への部材取付け構造は、壁板に孔をあけ、この孔から裏側へ取付軸で連結した複数の壁裏当接板を重ね合わせて挿し入れ、挿し入れ後に壁裏当接板を回転させて複数の壁裏当接板を順次に展開させ、展開後の当接板で孔よりも大きい支持面が形成されるようにしている。（例えば、特許文献１参照）
【０００３】
【特許文献１】
特開２００１−２４１４１８号（第３〜第６頁、図５参照）
【０００４】
【発明が解決しようとする課題】
しかしながら、前記部材取付構造は、壁裏当接板の巾を孔の直径の１／２以下に、長さを直径よりも少し長く設定している。このため、壁裏当接板を重ね合わせて孔に挿入するには、壁裏当接板を斜めに傾けて孔へ挿し入れ、壁裏当接板が垂直になるように姿勢を修正してから、取付軸を回転して壁裏当接板を展開しなければならないので、建物によっては壁板に柱等の構造材等が接近していて、前述の操作ができないため取付不可能な現場があるし、また、取付け作業性が前述の通り面倒なものであって、一層の簡略化を図る必要があった。
【０００５】
本発明は前記問題点を解消し、重ね合わせた前後の当羽根を真っ直ぐに壁板の孔から挿し入れて、自重で展開させることができるため、壁板の裏側の隙間が小さくても部材の取付けができて、かつ、取付けの操作が至って簡単である壁板へ部材取付構造を提供することをその課題とする。
【０００６】
【課題を解決するための手段】
本発明は、上記問題点を解決するため、下記の構成を採用することを特徴とする。
（１）壁板に孔をあけ、この孔から取付軸で連結した複数の当羽根を重ね合わせて隙間へ挿し入れ、挿し入れ後に当羽根を展開させて、展開後の当羽根で孔よりも大きい支持面を形成させるようにした壁板への部材取付構造において、
前記当羽根を、壁板の孔よりも少し小さい外形の２枚が、基部にあけた孔に取付軸を通して連結した構造とすることにより、
２枚の当羽根を、重ね合わせると壁板の孔から裏側の隙間へ真っ直ぐ挿し入れることができ、
挿し入れ後に当羽根をフリーにすると、前側の当羽根が自重により下方へ展開して、その当接部と後側の当羽根の当接部とで孔よりも大きい支持面を形成するようにしたこと。
【０００７】
（２）壁板に孔をあけ、この孔から取付軸で連結した複数の当羽根を重ね合わせて隙間へ挿し入れ、挿し入れ後に当羽根を展開させて、展開後の当羽根で孔よりも大きい支持面を形成させるようにした壁板への部材取付構造において、
前記当羽根を連結する取付軸を、壁板の孔を塞ぐ蓋体の中央部に設けた軸受へ嵌合して、
前記蓋体の嵌合縁を壁板の孔へ嵌め付けることにより、部材の取付構造を取付軸が孔の中心に位置するように隙間内に保持させるようにしたこと。
【０００８】
【発明の実施の形態】
以下に、本発明に係る壁板への部材取付構造の実施形態を図面に基づいて説明する。
【０００９】
図１〜図５において符号１は、壁板への部材取付構造１を示す。この部材取付構造１は、壁板２にあけた孔３よりも少し小さい外形の２枚の当羽根４、４を、基部４ａにあけた孔５に取付軸としてのボルト６を通して連結した構造として、当羽根４、４を壁板２の孔３から裏側の隙間７へ真っ直ぐに挿入できるようにしてある。
【００１０】
前記２枚の当羽根４、４は、金属板等により壁材２の孔３よりも少し小さい円形、楕円形、方形、多角形等の外形に形成する。そして、基部４ａには取付軸６を通す孔５をあけ、先部は展開したとき壁板２の裏面へ当る当接部４ｂとする。従って、後側の当羽根４は、その基部４ａと当接部４ｂとに、前側の当羽根４の厚さに相当する段差８が付く構造として、２枚の当羽根４を展開すると、各々の当接部４ｂが同一平面となるようにしてある。
【００１１】
ボルト６は、取付ける部材に適合した太さと長さのものを選択して、このボルト６を後側の当羽根４の孔５へ後方から挿し入れて、溶接、接着、圧入、その他の手段により空転しないように止着し、後側の当羽根４の前には、孔５をボルト６へ回転可能に嵌合した前側の当羽根４を重ね、前側の当羽根４の前には展開した前側と後側の当羽根４、４の重合部分に形状を合わせた押え座金９を重ね、押え座金９の前には、座金１０とばね座金１１とを重ねて、これら座金１０とばね座金１１とをボルト６に螺合したナット１２で押さえるようにする。
【００１２】
前側の当羽根４と押え座金９とは、ボルト６に回動可能に支持されるから、その位置を規制して置く必要がある。そこで、後側の当羽根４に付けた段差８の右端上部に、前側の当羽根４が下方へ１８０度展開したときに当たる突起１３を設けて置き、この突起１３に押え座金９の切欠１４を係合させて、押え座金９を静止状態を保持させるとともに、前側の当羽根４には後側の当羽根４に重ね合わせたとき突起１３を受け入れる切欠１５を設けて、前後の当羽根４、４の密着した重ね合わせができるようにする。
【００１３】
図６（ｂ）において符号１６は、壁板２へ取付ける部材の一例としての握り棒を示す。この握り棒１６は両端に着脱カバー１７を備える取付部１８を有し、前記カバー７を外すと取付部１８の基板１９が現れて、この基板１９にあけた孔２０にボルト６を通し、ボルト６に座金２１とばね座金２２を添えたナット２３を螺合させると握り棒１６の取付けが行なわれる。
【００１４】
図７（ａ）において符号２４は、壁板２の孔３を塞ぐとともに、部材の取付座を兼ねる蓋体を示す。この蓋体２４は合成樹脂により成形して、中央部に当羽根４、４の連結用ボルト６を嵌合する軸受２５を設け、軸受２５の外側には後記ナットを操作する窓孔２６を設け、更に裏側には孔３へ嵌め込む欠円形の嵌合縁２７を設けてある。このため孔２５にボルト６を嵌合して、蓋体２４の嵌合縁２７を壁板２の孔３内へ嵌め込むと、部材の取付構造１が壁板２の孔３の中心にボルト６が位置する状態で隙間７内に保持される。
【００１５】
前記蓋体２４に設けた軸受２５は、摩擦によってボルト６の回転及び移動を抑制させる必要がある。このため、図８に示す通り一部が開口する欠円状に形成するか、または、真円形でボルト６が固めに嵌り合う内径に設定されるように形成する。
【００１６】
図７（ｂ）において符号２８はシール部を示す。このシール部材２８は、浴室、洗面所等の壁板２おいて孔３から隙間７へ水が侵入するおそれがある場合、壁板２と蓋体２４との間に挟んで使用するものであり、ゴム、軟質合成樹脂等のシール性に優れた材料により形成する。
【００１７】
前記実施形態に示す壁板への部材取付構造１は、前側の当羽根４と後側の当羽根４とを連結するボルト６を、図２に示す通り蓋体２４の中心に設けた軸受２５へ嵌合して蓋体２４に支持させ、前側の当羽根４と後側の当羽根４とを図１及び図２に示す通り重ね合わせた状態において、壁板２の孔３の中へ真っ直ぐに挿し入れる。そして、当羽根４、４が隙間７内に収まったとき、蓋体２４を嵌合縁２７が壁板２の孔３に合うまで持ち上げて、嵌合縁２７を図３に示すよう孔３へ嵌合すると、蓋体２４は取付構造１をボルト６が孔３の中心に位置する状態で隙間７の内部に支持する。（なお、この際、防水を要する取付の場合、蓋体２４に防水シール２８を添え付けて置く。）
【００１８】
取付構造１が隙間７内に支持されたら、窓孔２６からナット１２を緩めて、前側の当羽根４をフリーにし、左方へ若干傾けると該当羽根４は自重により図４及び図５の通り下方へ展開する。そこで、窓孔２６からナット１２を締めて、前側の当羽根４の基部４ａが、後側の当羽根４の段差８に収まった状態で前側の当羽根４をボルト６へ固定すれば、前側の当羽根４の当接部４ｂは、孔３の下側の壁板２の裏面に、後側の当羽根４の当接部４ｂは、孔３の上側の壁板２の裏面にそれぞれ対応するから、ボルト６を手前に引き出して、前側の当羽根４の当接部４ｂと、後側の当羽根４の当接部４ｂとを図５のように壁板２の裏面に当接させれば、壁板２の裏側には両当接部４ｂで孔３よりも大きい支持面が形成され、壁板２の表側には蓋板２４の孔２５からボルト６が突出する。
【００１９】
次に、蓋体２４の軸受２５から突出するボルト６に、握り棒１６の両端に設けた取付部１８の基板１９にあけた孔２０を嵌めると、蓋体２４の上に基板１９が着座して蓋体２４が取付座となる。そこで、基板１９から突出するボルト６に座金２１とばね座金２２を添えてナット２３を螺合させて、このナット２３の締め付けを行なえば、壁板２の裏面に当接する当羽根４、４の当接部４ｂ、４ｂと、握り棒１６の取付部１８の基板１９とにより壁板２を挟ませた握り棒１６の確実な取付けが簡単に行われる。
【００２０】
【発明の効果】
請求項１の効果  重ね合わせた前後の当羽根を壁板の孔へ真っ直ぐに挿し入れて前側の当羽根をフリーにするだけで、この当羽根が自重で下方へ展開して各々の当接部で孔よりも大きい支持面を形成させる。従って、壁板の裏側の隙間は２枚の当羽根の厚さにボルト頭とを加えた程度のもので十分であり、壁板の後に柱等の構造材等が存在するため、従来の部材取付構造では取付けが不可能な条件でも取付けが可能であって、取付の操作は著しく簡単となり、作業の時間の短縮にも大きく貢献する。
【００２１】
請求項２の効果  前後の当羽根を連結する取付軸を蓋体の軸受に嵌合して、蓋体の嵌合縁を孔に嵌めて壁板へ取付けると、取付構造は取付軸が孔の中心に位置した状態で隙間内に保持される。従って、取付作業中に取付構造を隙間へ落し込むことが完全に防止されて、しかも、取付構造が安定しているため当羽根の展開や展開後の固定等の操作を容易迅速に行なうことがでる。
【図面の簡単な説明】
【図１】本発明に係る壁板への部材取付構造を前後の当羽根を重ね合わせて壁板の孔へ挿入する状態の正面図である。
【図２】同上の縦断側面図である。
【図３】当羽根が隙間内に入った後、蓋体の嵌合縁を壁板の孔へ嵌め込んだ状態の縦断側面図である。
【図４】隙間内で前側の当羽根を自重で下方へ展開させた状態の正面図である。
【図５】前後の当羽根の当接部を壁板の裏面に当てて、蓋体の上に握り棒の取付部を取り付けた状態の縦断側面図である。
【図６】壁板への部材取付構造を構成する各部品の分解斜視図である。
【図７】壁板へ取付ける握り棒の側面図である。
【図８】（ａ）（ｂ）は、部材取付構造に併用する各部品の斜視図である。
【符号の説明】
１  部材取付構造
２  壁板
３  孔
４、４  当羽根
４ａ  当羽根の基部
４ｂ  当羽根の当接部
５  孔
６  取付軸
７  隙間
２４  蓋体
２５  軸受
２７  嵌合縁
【図１】
2004150135.tif 000003
【図２】
2004150135.tif 000004
【図３】
2004150135.tif 000005
【図４】
2004150135.tif 000006
【図５】
2004150135.tif 000007
【図６】
2004150135.tif 000008
【図７】
2004150135.tif 000009
【図８】
2004150135.tif 000010